(57)【要約】  第１の保持器部分（３）及び第２の保持器部分（４）を持つ特に転がり軸受用の保持器（１）。本発明によれば、第１の保持器部分（３）が少なくとも１つの第１の係合素子（６，１６）を持ち、第２の保持器部分（４）が少なくとも１つの第２の係合素子（７，１７）を持ち、これらの係合素子（６，１６，７，１７）が、第２の保持器部分（４）に対する第１の保持器部分（３）の相対運動により互いに係合して、第１の保持器部分（３）と第２の保持器部分（４）との間に少なくとも確実結合が行われるようにする。
2009531638.tif 000002
【特許請求の範囲】
【請求項１】
第１の保持器部分（３）及び第２の保持器部分（４）を持つ特に転がり軸受用の保持器（１）において、第１の保持器部分（３）が少なくとも１つの第１の係合素子（６，１６）を持ち、第２の保持器部分（４）が少なくとも１つの第２の係合素子（７，１７）を持ち、これらの係合素子（６，１６，７，１７）が、第２の保持器部分（４）に対する第１の保持器部分（３）の相対運動により互いに係合して、第１の保持器部分（３）と第２の保持器部分（４）との間に少なくとも確実結合が行われるようにすることを特徴とする、保持器。
【請求項２】
第１の保持器部分（３）と第２の保持器部分（４）との確実結合が、保持器（１）の縦軸線（Ｌ）の周りに１つの保持器部分（３，４）を回すことによって行われるように、第１の係合素子（６，１６）及び第２の係合素子（７，１７）が形成されていることを特徴とする、請求項１に記載の保持器。
【請求項３】
保持器が２つの保持器縁（８，９）及びこれらの保持器縁（８，９）の間に延びる多数の橋絡片（１０）を持ち、少なくとも１つの係合素子（６，１６，７，１７）がこれらの橋絡片（１０）の１つの橋絡片部分（１０ａ）に設けられていることを特徴とする、先行する請求項の１つに記載の保持器。
【請求項４】
すべての係合素子（６，１６，７，１７）が橋絡片（１０）の複数の橋絡片部分（１０ａ，１０ｂ）に設けられていることを特徴とする、請求項３に記載の保持器。
【請求項５】
すべての橋絡片部分（１０ａ，１０ｂ）がそれぞれ少なくとも１つの係合素子（６，１６，７，１７）を持っていることを特徴とする、先行する請求項の１つに記載の保持器。
【請求項６】
係合素子（６，１６，７，１７）が、橋絡片部分（１０ａ，１０ｂ）に設けられて互いにかみ合う溝（６，７）及び突起（１６，１７）であることを特徴とする、先行する請求項の１つに記載の保持器。
【請求項７】
１つの橋絡片部分（１０ａ，１０ｂ）のすべての溝（６，７）が実質的に同じ輪郭を持っていることを特徴とする、請求項６に記載の保持器。
【請求項８】
溝（６，７）が、保持器の周方向に一定の断面を持っていることを特徴とする、請求項６〜７の１つに記載の保持器。
【請求項９】
保持器（１）が、真ちゅう、鋼、軽金属特にアルミニウム、これらの組合わせ等を含む材料の群から選ばれる金属から製造されていることを特徴とする、先行する請求項の１つに記載の保持器。
【請求項１０】
先行する請求項の１つに記載の保持器を持つ転がり軸受。
【請求項１１】
第１の保持器部分（３）を設けかつ第２の保持器部分（４）を第１の保持器部分（３）に結合する段階を含む転がり軸受の組立て方法において、軸受の縦軸線（Ｌ）に関する回転運動によって、第２の保持器部分（４）を第１の保持器部分（３）に結合することを特徴とする、方法。
【請求項１２】
別の方法段階において保持器部分（３，４）を互いに整列させることを特徴とする、請求項１１に記載の方法。
【請求項１３】
保持器部分の結合後多数の転動体（５）を保持器へ入れることを特徴とする、請求項１１〜１２の１つに記載の方法。
【発明の詳細な説明】
【技術分野】
【０００１】  本発明は保持器に関する。本発明は円筒ころ軸受用保持器に関して記載されるが、本発明は例えば球面ころ軸受又は心合わせころ軸受のような他の種類の軸受にも使用できる。
【背景技術】
【０００２】  従来技術から、２つ又はそれ以上の保持器部分から構成されかつ組立て中にまとめられる軸受が公知である。このような２部分又は数部分から成る保持器の種々の変形例が公知である。【０００３】  従来技術から公知の可能性は、保持器櫛と保持器蓋から成る一体の保持器を設けることである。その際保持器蓋は、保持器櫛に形成された鋲により鋲止めされる。この過程は、既に組立てを完了した軸受で行われる。この実施形態の欠点は、製造費が比較的高いことである。更に前述したように、この場合組立てられた軸受における保持器組立てが必要である。更にそれぞれの鋲結合部が裂き取られることがあり、それにより保持器の寿命が低下される。【０００４】  従来技術から公知の別の可能性は、保持器を削り込まれた窓輪郭を持つ一体の保持器として構成することである。この構成では、保持器の窓が外部からならいフライス又はエンドミルで形成される。それによりこの解決策では、フライスはすべての窓を個々に順次削らねばならない。更に窓の４つの隅に凹所を形成せねばならず、これらの凹所が保持器の側縁を事情によっては弱くする。従ってこれらの実施形態は時間のかかる加工を伴う。【０００５】  更に例えば球面ころ軸受のために一体の保持器を使用することも公知であり、この構成では２つの保持器部分が鋲で互いに結合される。そのためこれらの保持器部分を互いに対にまとめて、穴あけせねばならない。橋絡片を貫通して形成される鋲穴は、橋絡片の強度を低下させてはならない。このため橋絡片が比較的厚く形成され、それにより周囲の最大限の利用が最小限にされる。更にこのような保持器は製造に比較的費用がかかり、比較的低い負荷能力しか持たない。【０００６】  更に従来技術から分割された心合わせころ軸受が公知であり、保持器蓋がタッピンねじにより保持器櫛の橋絡片にねじ止めされる。この場合も高い製造費という問題があり、更にタッピンねじが使用中に引き裂かれるという問題がある。
【発明の開示】
【発明が解決しようとする課題】
【０００７】  従って本発明の基礎になっている課題は、安価にかつ比較的速く製造できる軸受を利用可能にすることである。更に保持器の簡単な組立て、及び転動体の取付け中に確実又は簡単な取扱いに可能になるようにする。
【課題を解決するための手段】
【０００８】  これは、本発明によれば、請求項１に記載の保持器及び請求項１１に記載の組立て方法によって達せられる。有利な実施形態及び展開が従属請求項の対象である。【０００９】  特に転がり軸受用の本発明による保持器は、第１の保持器部分及び第２の保持器部分を持っている。本発明によれば、第１の保持器部分が少なくとも１つの第１の係合素子を持ち、第２の保持器部分が少なくとも１つの第２の係合素子を持っている。これらの係合素子は、第２の保持器部分に対する第１の保持器部分の相対運動により互いに係合して、第１の保持器部分と第２の保持器部分との間に少なくとも確実結合が行われるようにする。【００１０】  保持器部分とは、組合わされて保持器全体を生じる部分を意味する。第１の保持器部分と第２の保持器部分との確実結合により、両方の保持器部分が、特に保持器の縦方向に、直接ではなく、即ち介在する別の運動過程なしに互いに分離されることのないようにすることができる。【００１１】  第１の保持器部分と第２の保持器部分との確実結合が、保持器の縦軸線の周りに１つの保持器部分を回すことによって行われるように、第１の係合素子及び第２の係合素子が形成されているのがよい。これは、一方の保持器部分に対して保持器の縦軸線の周りに回されることを意味する。この回転により、両方の係合素子の係合が行われ、それにより両方の保持器部分が保持器の縦方向の力の作用により互いに分離されるのを防止される。係合素子をこのように設けることにより、従来技術において上述した問題を伴う鋲又はねじのような別の結合素子が不要になる。【００１２】  別の好ましい実施形態では、保持器が２つの保持器縁及びこれらの保持器縁の間に延びる多数の橋絡片を持ち、少なくとも１つの係合素子がこれらの橋絡片の１つの橋絡片部分に設けられている。これは、保持器部分の係合が少なくとも１つの橋絡片部分を介して行われることを意味する。すべての係合素子が橋絡片のそれぞれの橋絡片部分に設けられているのがよい。これは保持器部分が多数の第１の橋絡片部分を持ち、第２の保持器部分が多数の第２の橋絡片部分を持ち、第１及び第２の橋絡片部分を介して係合が行われることを意味する。【００１３】  すべての橋絡片部分がそれぞれ少なくとも１つの係合素子を持っているのがよい。これは、個々の橋絡片部分の間で多数の確実結合が行われ、こうして保持器全体の安定性が高められることを意味する。【００１４】  別の有利な実施形態では、係合素子が、橋絡片部分に設けられて互いにかみ合う溝及び突起である。溝と突起とのこの係合により保持器の縦方向における橋絡片部分の相対移動はもはや不可能である。【００１５】  １つの橋絡片部分のすべての溝が実質的に同じ輪郭を持っているのがよい。こうして適当な保持器部分の簡単な製造が、例えば旋削により可能である。別の利点は、第１の橋絡片部分が任意の第２の橋絡片部分と結合され、橋絡片部分を互いに取付けることができる複数の回転位置が可能なことである。溝は、円形断面だけでなく、多角形断面、楕円形断面、これらの断面の組合わせのような種々の幾何学的断面を持つことができる。【００１６】  別の好ましい実施形態では、溝が保持器の周方向に一定の断面を持っている。こうして一方の保持器部分に対して他方の保持器部分を特に有利なように回すことが可能である。しかし２〜３又はすべての溝が保持器の周方向に先細になるようにすることも可能である。それにより一方の保持器部分に対して他方の保持器部分を回すことによって、両方の保持器部分を確実結合することもできる。【００１７】  保持器が、真ちゅう、鋼、軽金属例えばアルミニウム、これらの組合わせ等を含む材料の群から選ばれる金属から製造されているのがよい。【００１８】  本発明は、更に上述した種類の保持器を持つ転がり軸受に向けられている。【００１９】  更に本発明は転がり軸受の組立て方法にも向けられ、１つの方法段階において第１の保持器部分が設けられ、別の方法段階において第２の保持器部分が第１の保持器部分に結合される。本発明によれば、軸受の縦軸線に関する回転運動によって、第２の保持器部分を第１の保持器部分に結合する。【００２０】  別の方法段階において保持器部分を互いに整列させるのがよい。この整列は、第２の保持器部分を第１の保持器部分に結合した後に行うのがよい。整列によって、個々の橋絡片がほぼ直線状に延びるようにすることができる。【００２１】  保持器部分の結合後多数の転動体を保持器へ入れるのがよい。【００２２】  それ以外の利点及び実施形態は添付図面からわかる。
【発明を実施するための最良の形態】
【００２３】  図１は本発明による保持器１の第１実施例を示す。この保持器は第１の縁８及び第２の縁９を持っている。この実施例では、これらの縁はほぼ円形であり、縁８，９の間に、多数の橋絡片１０が保持器の縦方向Ｌに延びている。縁８，９及び橋絡片１０により、それぞれ転動体５用の保持器ポケット２が形成されている。第１の保持器部分３は、縁８及びこの縁８から保持器の縦方向Ｌに延びる橋絡片部分１０ａを持っている。第２の保持器部分４は、縁９及びこの縁９から保持器の縦方向Ｌに延びる橋絡片部分１０ｂを持っている。それぞれの保持器部分１０ａ及び１０ｂは、保持器１を組立てるため互いに係合可能な溝６，７及び突起１６，１７を持っている。詳しく述べると、橋絡片部分１０ａの突起１６は橋絡片部分１０ｂの溝７に係合し、橋絡片部分１０ｂの突起１７は橋絡片部分１０ａの溝６に係合している。【００２４】  突起１６はなるべく所定の方向例えば半径方向外方へ延び、突起１７はこれに対して逆の方向即ち半径方向内方へ延びている。溝６，７も互いに逆の方向に延びている。【００２５】  図２〜５は本発明による保持器の製造方法を示す。図２には第１の保持器部分３及び第２の保持器部分４が認められ、これらは回転方向に互いにずれている。これは、両方の保持器部分３及び４の橋絡片部分１０ａ及び１０ｂがまだ互いに係合していないことを意味する。同時に第１の保持器部分３の溝６及び第２の保持器部分４の溝７が認められる。これらの溝６，７へ、それから他方の保持器部分の突起１６及び１７がはまる。それぞれの突起１６，１７及び対応する溝６，７も、それぞれの保持器部分３，４の周方向にほぼ同じ幅を持っていることがわかる。【００２６】  保持器櫛及び保持器蓋とも称することができるそれぞれの保持器部分３及び４又はその基本輪郭は、それぞれ旋削により製造することができる。互いに係合する図示した溝６，７も、旋削プロセスで製造することができる。それにより製造が全体として非常に簡単化される。【００２７】  図３は、保持器の製造における別の方法段階が示されている。この場合両方の保持器部分３，４が互いに引掛けられ、即ちそれぞれの突起１６，１７が溝６，７にはまっている。その際溝直径又はその幅は、両方の保持器部分３，４の間に僅かな間隙しか存在しないように、合わされている。【００２８】  図４に示す別の方法段階において、両方の保持器部分３，４が互いに整列される。これは、整列により保持器部分３，４の橋絡片部分１０ａ，１０ｂがほぼ角なしに互いに移行することを意味している。こうして挿入すべき転動体用の当接面１２が形成される。これらの当接面１２は円筒部分状の輪郭を持っている。更に当接面１２は、導入される転動体の少なくとも一時的な停止を行う停止突起１１を持っている。【００２９】  図４に示す実施例では、橋絡片部分１０ａ及び１０ｂはほぼ同じ長さである。即ち係合が行われる範囲は、ほぼ対象に保持器の縦方向中央にある。これは有利であるが、そうでなくてもよい。【００３０】  図５に示す方法段階では、転動体５が導入され、即ちこの場合内側から押込まれる。一般に保持器部分の整列後に転動体又はころ５は、外側から又は内側から、なるべく穴あけされるか又��削り込まれる保持器ポケット２へスナップばめされる。転動体５の取付け後に両方の保持器部分は、もはや互いに分離不可能である。なぜならば、転動体５が両方の保持器部分３，４の相対的なねじれを防止するからである。【００３１】  橋絡片の縦方向における両方の保持器部分３，４の分離は、上述したようにそれぞれの溝６，７及び突起１６，１７によって防止される。図示した解決策では、鋲止め、ねじ止め又は窓ポケットの費用がかかるフライス削りをやめることができる。【００３２】  図６ａは本発明による保持器１の正面図を示す。保持器は多数の橋絡片１０及び転動体が設けられる保持器ポケット２を持っていることがわかる。図６ｂは図６ａの保持器の側面図を示している。この実施例は、上述したように、ほぼ対称に構成される保持器であり、両方の縁８及び９ｂの間で橋絡片部分１０ａ及び１０ｂが、保持器１の縦方向Ｌにほぼ同じ長さで延びている。【００３３】  図６ｃは図６ｂの部分Ｂの詳細図を示している。溝又は突起がほぼ長方形の輪郭を持っていることがわかる。【００３４】  図７ａ〜７ｃは本発明による保持器の別の実施例を示す。図６ａ〜６ｃに示す実施例と図７ａ〜７ｃに示す実施例との重要な相違は、溝６，７及び突起１６，１７の形状である。図７ａ〜７ｃに示す実施例では、溝は長方形でなく、少しＶ字状に形成されている。しかしそれぞれの溝の側方部分をもっと傾斜させることも可能である。例えば円弧状の輪郭を持つ溝のような異なる種類の溝を使用することも可能である。【００３５】  図８は、図７ａ〜７ｃに示す保持器の斜視図を示す。この場合突起１６，１７は、それらがそれぞれＶ字状溝６，７へはまることができるように形成されている。本発明の範囲を逸脱することなく、溝又は係合素子の他の構成も可能である。【００３６】  出願書類に開示されたすべての特徴は、それが個々に又は組合わせで従来技術に対して新規である限り、本発明にとって重要であるとして、権利を要求される。
【図面の簡単な説明】
【００３７】
【図１】  本発明による保持器の斜視図を示す。
【図２】  組立て方法を説明するための保持器の部分図を示す。
【図３】  組立て方法を説明するための別の部分図を示す。
【図４】  組立て方法を説明するための別の部分図を示す。
【図５】  組立て方法を説明するための別の部分図を示す。
【図６ａ】  本発明による保持器の概略正面図を示す。
【図６ｂ】  図６ａのＡ−Ａ線に沿う保持器の断面図を示す。
【図６ｃ】  図６ｂの一部の詳細図を示す。
【図７ａ】  本発明による保持器の概略正面図を示す。
【図７ｂ】  図７ａのＡ−Ａ線に沿う保持器の断面図を示す。
【図７ｃ】  図７ｂの一部の詳細図を示す。
【図８】  本発明による保持器の別の実施例の斜視図を示す。
【符号の説明】
【００３８】１              保持器
２              保持器ポケット
３              第１の保持器部分
４              第２の保持器部分
５              転動体
６，７          溝
８              第１の縁
９              第２の縁
１０            橋絡片
１０ａ，１０ｂ  橋絡片部分
１１            停止突起
１２            当接面
１６，１７      突起
Ｌ              縦方向
【図１】
2009531638.tif 000003
【図２】
2009531638.tif 000004
【図３】
2009531638.tif 000005
【図４】
2009531638.tif 000006
【図５】
2009531638.tif 000007
【図６ａ】
2009531638.tif 000008
【図６ｂ】
2009531638.tif 000009
【図６ｃ】
2009531638.tif 000010
【図７ａ】
2009531638.tif 000011
【図７ｂ】
2009531638.tif 000012
【図７ｃ】
2009531638.tif 000013
【図８】
2009531638.tif 000014
【国際調査報告】
2009531638.tif 000015
2009531638.tif 000016
2009531638.tif 000017
2009531638.tif 000018